(57)【要約】      （修正有）【課題】高さの調整を順調に施すことができる調整可能式球技用ネット枠を提供する。【解決手段】上半部と、下半部と、から構成され、上半部に少なくとも一つの窪みが設けられ、窪みの下端から弾性を有する定位ユニット２２が伸び、定位ユニットの内側面に定位突起２２１が設けられ、上半部の外側面にスライド溝２３が設けられる内ブッシュと、内側面に少なくとも一つの凸部３１が設けられ、内ブッシュに回動可能に嵌め設ける。さらに、凸部が内ブッシュのスライド溝内に位置する外ブッシュ３０と、内ブッシュと外ブッシュの間に設けられ、外ブッシュの凸部がスライド溝の第１定位部または第２定位部２３２に保持されるバネ４０と、一端が内ブッシュの下半部に固定される外チューブと、その軸方向に沿って定位穴が複数設けられ、内ブッシュと外チューブ５０との内部に調整可能に設けられ、定位穴が定位ユニットの定位突起に対応する内チューブ６０と、を備える。【選択図】図６
0003158933.tif 000002
【実用新案登録請求の範囲】
【請求項１】
上半部と、下半部と、から構成され、前記上半部に少なくとも一つの窪みが設けられ、前記窪みの下端から弾性を有する定位ユニットが伸び、前記定位ユニットの内側面に定位突起が設けられ、前記上半部の外側面にスライド溝が設けられ、前記スライド溝は、一端が第１定位部であり、他端が前記定位ユニットに対応する第２定位部である内ブッシュと、
内側面に少なくとも一つの凸部が設けられ、前記内ブッシュに回動可能に嵌め設けられ、前記凸部が前記内ブッシュの前記スライド溝内に位置する外ブッシュと、  前記内ブッシュと前記外ブッシュの間に設けられ、前記外ブッシュの前記凸部が前記スライド溝の前記第１定位部または第２定位部に保持されるバネと、
一端が前記内ブッシュの下半部に固定される外チューブと、
その軸方向に沿って定位穴が複数設けられ、前記内ブッシュと前記外チューブとの内部に調整可能に設けられ、前記定位穴が前記定位ユニットの前記定位突起に対応する内チューブと、  を備える調整可能式球技用ネット枠において、
前記外ブッシュを回転することにより、前記内ブッシュの前記スライド溝の前記第１定位部に前記凸部を位置するときには、前記定位ユニットの前記定位突起が前記内チューブの前記定位穴から離脱し、なお、前記内ブッシュの前記スライド溝の前記第２定位部に前記凸部を位置するときには、前記定位ユニットの前記定位突起が前記内チューブの前記定位穴と係合し、これにより、前記内チューブの前記外チューブに対する調整による伸縮が可能であることを特徴とする調整可能式球技用ネット枠。
【請求項２】
前記外ブッシュは、上半部と、下半部と、から構成され、前記凸部が前記外ブッシュの前記上半部の内側面に設けられ、前記外ブッシュの前記下半部の外側面に握り部が設けられることを特徴とする、請求項１に記載の調整可能式球技用ネット枠。
【請求項３】
前記外ブッシュの前記上半部には、補強リングが嵌め設けられることを特徴とする、請求項２に記載の調整可能式球技用ネット枠。
【請求項４】
前記補強リングはアルミ合金で作製されたものであることを特徴とする、請求項３に記載の調整可能式球技用ネット枠。
【請求項５】
前記内ブッシュの前記スライド溝は、縦溝段と横溝段から構成され、Ｌ字形を呈し、前記第１定位部が前記横溝段の端部に近接する側面に設けられ、前記第２定位部が前記縦溝段の上端に設けられることを特徴とする、請求項１に記載の調整可能式球技用ネット枠。
【請求項６】
前記内ブッシュの前記下半部の外側面に環状突起が設けられ、前記外ブッシュの内側面に環状肩部が設けられ、前記バネが前記環状突起と前記環状肩部の間に設けられることを特徴とする、請求項１に記載の調整可能式球技用ネット枠。
【請求項７】
前記内ブッシュの前記下半部には、弾性を有する定位リブが少なくとも一つ設けられ、前記定位リブには、その内側へ突出する係り突起が設けられ、前記外チューブの端部に係合穴が少なくとも一つ設けられ、前記係合穴が前記係り突起と係合することを特徴とする、請求項１に記載の調整可能式球技用ネット枠。
【考案の詳細な説明】
【技術分野】
【０００１】
本考案は、球技用ネット枠に関し、特に、調整可能式球技用ネット枠に関するものである。
【背景技術】
【０００２】
従来の球技用ネット枠（例えばテニス用ネット枠やバレーボール用ネット枠など）が張られた後、その高さが調整できず、且つ各種類の球技のネット枠の高さが相違するため、一つのネット枠で全ての球技に適用することができず、利用が極めて不便である。図１及び図２に示す球技用ネット枠１０は、調整可能な内チューブ１１および外チューブ１２と、内チューブ１１と外チューブ１２とを定位可能な定位具１３と、から構成され、定位具１３の定位凸部１３１を押圧することによって定位具１３の定位凸部１３１を外チューブ１２の定位穴１２１から離脱することにより、外チューブ１２が内チューブ１１に対して伸縮可能である。
【考案の概要】
【考案が解決しようとする課題】
【０００３】
しかしながら、これは次のような欠点があった。
定位具１３は、内チューブ１１内に組付けた後、定位構造がなく、内チューブ１１の定位穴１１１が外チューブ１２の定位穴１２１に合せるときに、定位穴１１１と定位穴１２１とに定位凸部１３１を挿入するだけにより、内チューブ１１と外チューブ１２を定位するため、内チューブ１１と外チューブ１２の全長を調整するときに、定位具１３の定位凸部１３１が内チューブ１１の内部に退行すると、定位具１３が内チューブ１１をスライドすることができ、そうすると、定位凸部１３１が内チューブの壁面に係止される可能性があり、定位具１３の本来の機能が失われるようになり、内チューブ１１と外チューブ１２を定位することができなくなる。このように、従来の球技用ネット枠１０は、高さの調整を順調に施すことができない欠点がある。
【０００４】
本考案の主な目的は、高さの調整を順調に施すことができる調整可能式球技用ネット枠を提供することにある。
【課題を解決するための手段】
【０００５】
本考案の調整可能式球技用ネット枠によると、上半部と、下半部と、から構成され、前記上半部に少なくとも一つの窪みが設けられ、前記窪みの下端から弾性を有する定位ユニットが伸び、前記定位ユニットの内側面に定位突起が設けられ、前記上半部の外側面にスライド溝が設けられ、前記スライド溝は、一端が第１定位部であり、他端が前記定位ユニットに対応する第２定位部である内ブッシュと、内側面に少なくとも一つの凸部が設けられ、前記内ブッシュに回動可能に嵌め設けられ、前記凸部が前記内ブッシュの前記スライド溝内に位置する外ブッシュと、前記内ブッシュと前記外ブッシュの間に設けられ、前記外ブッシュの前記凸部が前記スライド溝の前記第１定位部または第２定位部に保持されるバネと、一端が前記内ブッシュの下半部に固定される外チューブと、その軸方向に沿って定位穴が複数設けられ、前記内ブッシュと前記外チューブとの内部に調整可能に設けられ、前記定位穴が前記定位ユニットの前記定位突起に対応する内チューブと、を備える調整可能式球技用ネット枠において、前記外ブッシュを回転することにより、前記内ブッシュの前記スライド溝の前記第１定位部に前記凸部を位置するときには、前記定位ユニットの前記定位突起が前記内チューブの前記定位穴から離脱し、なお、前記内ブッシュの前記スライド溝の前記第２定位部に前記凸部を位置するときには、前記定位ユニットの前記定位突起が前記内チューブの前記定位穴と係合し、これにより、前記内チューブの前記外チューブに対する調整による伸縮が可能であることを特徴とする。
【０００６】
本考案の調整可能式球技用ネット枠によると、前記外ブッシュは、上半部と、下半部と、から構成され、前記凸部が前記外ブッシュの前記上半部の内側面に設けられ、前記外ブッシュの前記下半部の外側面に握り部が設けられることを特徴とする。
【０００７】
本考案の調整可能式球技用ネット枠によると、前記外ブッシュの前記上半部には、補強リングが嵌め設けられることを特徴とする。
【０００８】
本考案の調整可能式球技用ネット枠によると、前記補強リングはアルミ合金で作製されたものであることを特徴とする。
【０００９】
本考案の調整可能式球技用ネット枠によると、前記内ブッシュの前記スライド溝は、縦溝段と横溝段から構成され、Ｌ字形を呈し、前記第１定位部が前記横溝段の端部に近接する側面に設けられ、前記第２定位部が前記縦溝段の上端に設けられることを特徴とする。
【００１０】
本考案の調整可能式球技用ネット枠によると、前記内ブッシュの前記下半部の外側面に環状突起が設けられ、前記外ブッシュの内側面に環状肩部が設けられ、前記バネが前記環状突起と前記環状肩部の間に設けられることを特徴とする。
【００１１】
本考案の調整可能式球技用ネット枠によると、前記内ブッシュの前記下半部には、弾性を有する定位リブが少なくとも一つ設けられ、前記定位リブには、その内側へ突出する係り突起が設けられ、前記外チューブの端部に係合穴が少なくとも一つ設けられ、前記係合穴が前記係り突起と係合することを特徴とする。
【考案の効果】
【００１２】
本考案の調整可能式球技用ネット枠によれば、高さの調整を順調に施すことができるという効果を有する。
【図面の簡単な説明】
【００１３】
【図１】従来の球技用ネット枠の模式図である。
【図２】従来の球技用ネット枠の一部の断面図である。
【図３】本考案の一実施形態の調整可能式球技用ネット枠の分解斜視図である。
【図４】本考案の一実施形態の調整可能式球技用ネット枠の組合済み状態の斜視図である。
【図５】本考案の一実施形態の調整可能式球技用ネット枠の側面図である。
【図６】本考案の一実施形態の調整可能式球技用ネット枠の組合済み状態の断面図である。
【図７】本考案の一実施形態の調整可能式球技用ネット枠の側面図であって、外ブッシュの操作状態を示す。
【図８】本考案の一実施形態の調整可能式球技用ネット枠の断面図であって、外ブッシュが操作された状態を示す。
【図９】本考案の一実施形態の調整可能式球技用ネット枠の断面図であって、調整後の状態を示す。
【図１０】本考案の一実施形態の調整可能式球技用ネット枠の分解斜視図であって、外ブッシュに補強リングが嵌め設けられる状態を示す。
【考案を実施するための最良の形態】
【００１４】
以下、本考案の実施の形態を図面に基づいて説明する。
まず、図３乃至図６を参照する。本考案の一実施形態の調整可能式球技用ネット枠は、内ブッシュ２０と、外ブッシュ３０と、バネ４０と、外チューブ５０と、内チューブ６０と、を組合せて構成される。
【００１５】
内ブッシュ２０は、上半部と、下半部と、から構成される。前記上半部は、互いに対応する二つの窪み２１を有し、各窪み２１の下端から弾性を有する定位ユニット２２が伸び、定位ユニット２２の内側面に定位突起２２１が設けられ、前記上半部の外側面にスライド溝２３が設けられ、スライド溝２３は、一端が第１定位部２３１であり、他端が定位ユニット２２に対応する第２定位部２３２である。スライド溝２３は、縦溝段２３３と横溝段２３４から構成され、Ｌ字形を呈し、第１定位部２３１が横溝段２３４の端部に近接する側面に設けられ、第２定位部２３２が縦溝段２３３の上端に設けられる。前記下半部の外側面に環状突起２４が設けられ、環状突起２４の近傍には、弾性を有し互いに対応する二つの定位リブ２５が設けられ、各定位リブ２５には、その内側へ伸びる係り突起２５１が設けられる。
【００１６】
外ブッシュ３０は、上半部と、下半部と、から構成される。前記上半部の外側面には、互いに対応する二つの凸部３１が設けられる。前記下半部の外側面には、外側に伸び円弧形状を呈し互いに対応する二つの握り部３２がもうけられる。外ブッシュ３０の内側面に環状肩部３３が設けられ、外ブッシュ３０が内ブッシュ２０に回動可能に嵌め設けられ、凸部３１が内ブッシュ２０のスライド溝２３内に位置する。
【００１７】
バネ４０が環状突起２４と環状肩部３３の間に設けられ、これにより、外ブッシュ３０の凸部３１が内ブッシュ２０のスライド溝２３の第１定位部２３１または第２定位部２３２に保持される。
【００１８】
外チューブ５０は中空であり、外チューブ５０の上端部には、互いに対応する二つの係合穴５１が設けられる。各係合穴５１が内ブッシュ２０の定位リブ２５の係り突起２５１と係合することにより、外チューブ５０と内ブッシュ２０を定位することができる。
【００１９】
内チューブ６０は、中空であり、その外径が外チューブ５０と内ブッシュ２０との内径よりも小さい。内チューブ６０は、その軸方向に沿って定位穴６１が複数設けられ、内ブッシュ２０と外チューブ５０との内部に調整可能に設けられ、定位穴６１が定位ユニット２２の定位突起２２１に対応する。
【００２０】
外ブッシュ３０を回転することにより、内ブッシュ２０のスライド溝２３の第１定位部２３１に凸部３１を位置するときには、定位ユニット２２の定位突起２２１が内チューブ６０の定位穴６１から離脱し、なお、内ブッシュ２０のスライド溝２３の第２定位部２３２に凸部３１を位置するときには、定位ユニット２２の定位突起２２１が内チューブ６０の定位穴６１と係合し、これにより、内チューブ６０の外チューブ５０に対する調整による伸縮が可能である。
【００２１】
次に、本考案の作動方式および効果を説明する。図５及び図６を参照する。内チューブ６０の外チューブ５０に対する伸縮を調整する前に、外ブッシュ３０の凸部３１が内ブッシュ２０のスライド溝２３の第２定位部２３２に位置し、このとき、内ブッシュ２０の定位ユニット２２が外ブッシュ３０の凸部３１に押付けられ、押付けられる定位ユニット２２の定位突起２２１が内チューブ６０の定位穴６１と係合するため、外チューブ５０に対して内チューブ６０が定位される。
【００２２】
図７及び図８を参照する。内チューブ６０の外チューブ５０に対する伸縮を調整するときには、外ブッシュ３０の握り部３２を握って下方に引きながらある角度に旋回すると、図７の矢印に示すように、外ブッシュ３０の凸部３１が内ブッシュ２０のスライド溝２３の第２定位部２３２から第１定位部２３１にスライドし、このとき、内ブッシュ２０の定位ユニット２２が外ブッシュ３０の凸部３１に押付けられなくなり、定位ユニット２２の自身の弾力により、定位突起２２１が内チューブ６０の定位穴６１から離脱するため、外チューブ５０に対して内チューブ６０を伸縮することができる。
【００２３】
図７及び図９を参照する。外チューブ５０と内チューブ６０の組合せ全長を必要の長さに調整した後、外ブッシュ３０の握り部３２を握って上記の操作と逆に施し、すなわち、外ブッシュ３０をある角度に旋回したと、バネ４０の弾力により外ブッシュ３０が上方に移動され、これにより、外ブッシュ３０の凸部３１が内ブッシュ２０のスライド溝２３の第１定位部２３１から第２定位部２３２にスライドし、このとき、内ブッシュ２０の定位ユニット２２が外ブッシュ３０の凸部３１に押付けられるようになり、外チューブ５０に対して内チューブ６０が定位される。
【００２４】
このように、内ブッシュ２０の外側面に設けられたスライド溝２３に、外ブッシュ３０に設けられた凸部３１を合せ、外ブッシュ３０の内ブッシュ２０に対する位置を変更する（すなわち、内ブッシュ２０のスライド溝２３の第１定位部２３１または第２定位部に凸部３１を移動し）ことにとり、内チューブ６０の外チューブ５０に対する伸縮を施すことができ、且つ外チューブ５０と内チューブ６０の組合せ全長を調整した後、外チューブ５０と内チューブ６０を定位することができ、そうすると、球技用ネット枠の高さの調整を順調に施すことができる。
【００２５】
図１０に示すように、外ブッシュ３０の上半部３４と下半部３５の外径を相違にし、外径がより小さい上半部３４の外側面に、アルミ合金製の補強リング７０を設けてもよい。そうすると、外ブッシュ３０の構造強度が増加し、外ブッシュ３０の寿命を延長することができる。
【産業上の利用可能性】
【００２６】
本考案は、球技用ネット枠に適用することができる。
【符号の説明】
【００２７】
１０：球技用ネット枠、１１：内チューブ、１２：外チューブ、１３：定位具、２０：内ブッシュ、２１：窪み、２２：定位ユニット、２３：スライド溝、２４：環状突起、２５：定位リブ、３０：外ブッシュ、３１：凸部、３２：握り部、３３：環状肩部、３４：上半部、３５：下半部、４０：バネ、５０：外チューブ、５１：係合穴、６０：内チューブ、６１：定位穴、７０：補強リング、１１１：定位穴、１２１：定位穴、１３１：定位凸部、２２１：定位突起、２３１：第１定位部、２３２：第２定位部、２３３：縦溝段、２３４：横溝段、２５１：係り突起。
【図１】
0003158933.tif 000003
【図２】
0003158933.tif 000004
【図３】
0003158933.tif 000005
【図４】
0003158933.tif 000006
【図５】
0003158933.tif 000007
【図６】
0003158933.tif 000008
【図７】
0003158933.tif 000009
【図８】
0003158933.tif 000010
【図９】
0003158933.tif 000011
【図１０】
0003158933.tif 000012